(57)【要約】【課題】本発明は、各患者の血液型を容易に確認でき、この識別作業の作業性を向上させることのできるナースコールシステムを提供することを課題とする。【解決手段】本発明の一つは、ナースコール親機と、この親機に接続される個人別情報廊下灯と、前記看護支援パソコンとには、それぞれ患者名表示部を設け、各患者名表示部には、患者名の他に少なくとも、各患者の血液型で異なる特定の血液型別カラーをカラーマークや文字色その他の適当な方法で表示できるようにしたことを特徴とする。【選択図】図１
2006271818.tif 000002
【特許請求の範囲】
【請求項１】
個人別情報廊下灯に接続されたナースコール親機を、院内システムネットワークを介して、看護支援パソコン等に接続して構成されるナースコールシステムにおいて、前記ナースコール親機と、前記看護支援パソコンとには、患者ＩＤ、患者名、性別、年齢、血液型、血液カラーなどの患者データを含む共通の患者情報データベースを設けるとともに、前記ナースコール親機、前記看護支援パソコンおよび前記個人別情報廊下灯にはそれぞれ患者名表示部を設け、前記患者名表示部には、患者名の他に少なくとも、各患者の血液型で異なる特定の血液型別カラーを文字色その他の適当な方法で表示できるようにしたことを特徴とするナースコールシステム。
【請求項２】
前記ナースコール親機または前記看護支援パソコンには、これを、直接または前記院内システムネットワークを介して、前記患者データをカラー印刷機に出力する出力手段を設け、かつ、前記出力手段に出力される患者データは、各種出力帳票において必要とされる患者ＩＤ、患者名、性別、年齢、血液型に加えて、各血液型に対応する血液型別カラーデータを含み、このカラーデータに応じて、各患者の血液型で異なる特定の血液型別カラーを、患者名の文字色その他、適当な態様で印刷表示できるようにしたことを特徴とする請求項１記載のナースコールシステム。
【発明の詳細な説明】
【技術分野】
【０００１】
本発明は、病院や福祉施設等で使用されるナースコールシステムに係り、特に、患者への輸血パックの照合作業を迅速・簡便に行なうことのできるナースコールシステムに関する。
【背景技術】
【０００２】
特許文献１に示すように、輸血パックにバーコードなどの識別コードを印刷した識別ラベルを貼り付け、これを専用の読取機で読み取ることにより、患者データを照合できるようにしたものは公知である。
【０００３】
【特許文献１】・・・・特開平８−７１１４８号公報
【発明の開示】
【発明が解決しようとする課題】
【０００４】
色の
特許文献１の発明は、たとえば、多数の輸血パックのなかから、目的の患者用の輸血パックを探す場合は、読取機を使って、一つ一つ丹念に患者データを確認し見分ける必要がある。
【０００５】
本発明は、各患者の血液型を容易に確認でき、この識別作業の作業性を向上させることのできるナースコールシステムを提供することを課題とする。
【課題を解決するための手段】
【０００６】
本発明の一つは、ナースコール親機と、この親機に接続される個人別情報廊下灯と、前記看護支援パソコンとには、それぞれ患者名表示部を設け、各患者名表示部には、患者名の他に少なくとも、各患者の血液型で異なる特定の血液型別カラーをカラーマークや文字色その他の適当な方法で表示できるようにしたことを特徴とする。
【０００７】
本発明の他の一つは、各種出力帳票において必要とされる患者ＩＤ、患者名、性別、年齢、血液型に加えて、各血液型に対応する血液型別カラーデータを患者データとして出力し、このカラーデータに応じて、各患者の血液型で異なる特定の血液型別カラーを、患者名の文字色、カラーマークその他、適当な態様で印刷表示できるようにしたことを特徴とする。
【発明の効果】
【０００８】
本発明によれば、ナースコール親機、個人別情報廊下灯、および看護支援パソコンに患者の血液型をカラー表示できるので、病院内のどの場所にいても、最寄の場所で、個別の患者の血液型を容易に確認することができる。
【０００９】
また、本発明によれば、必要に応じて、識別ラベルや帳票に患者名と一体に患者の血液型を示すカラーを印刷できる。
【００１０】
本発明によれば、さらに、患者の血液型をカラーの違いで確認できることに加え、読取機で患者識別データも確認をするので、確認作業が２段階で行なわれることになり、患者の取り違えなどに起因する医療ミスを減らすことができる。
【発明を実施するための最良の形態】
【００１１】
以下、本発明のナースコール装置における好ましい実施例を図面にしたがって説明する。
図１は、本発明の１実施例におけるナースコールシステムの構成図である。
【００１２】
図において、１はナースセンターに設置されているナースコール親機、２は病室の出入口に設けられている個人別情報廊下灯、３は病室の各病床ごとに設けられている患者用情報端末３で、この情報端末３には、看護データ、患者データを入出力できるとともに、ナースコール親機１を呼出して通話できる機能が備えられ、必要に応じて、看護師を呼出すための呼出ボタン４が接続される。
【００１３】
患者用情報端末３には、患者の手首に装着される患者識別用のリストバンドや輸血パックに貼り付けられる識別ラベルに印刷されるバーコードやＲＦＩＤの識別コードを読取るためにリーダー機能を付与することができる。
【００１４】
ナースコール親機１は、複数の患者名表示部を有するナースコール表示画面を有し、患者用情報端末３から呼出があると、呼出音を鳴動させるととともに、呼び出した患者に該当する患者名表示部が点滅したり、あるいは、当該患者の関連情報がポップアップ表示される。送受器を取上げるとそのまま応答通話ができる。
【００１５】
個人別情報廊下灯２にも、ナースコール親機1と同様、病室毎のベッド数に対応した患者名表示部が表示されている。
【００１６】
ナースコール親機１は、院内システムネットワーク５に接続され、この院内システムネットワーク５を介して、モニター、キーボード、コンピュータ内臓の制御部を備えた看護支援パソコン６との間で看護情報、患者情報を入出力できるようになっている。
【００１７】
図示の例では、この看護支援パソコン６には、各種の出力帳票や識別ラベルを印刷するためのカラー印刷機９が接続されている。
なお、カラー印刷機９は、ナースコール親機1に接続することもできる。また、カラー印刷機９がネットワーク対応であれば、ネットワークラインに接続することもできる。
【００１８】
また、院内システムネットワーク５には、必要に応じて、院内情報システム（オーダリングシステム、電子カルテシステム、検査部門システム、外来部門システム等を含む）８を接続することにより、相互に関連する看護データ、患者データ等の送受信が可能になり、
院内情報システム、看護支援パソコン、ナースコール親機のすべてにおいて、患者名、年齢、血液型その他の患者情報を相互に共有することができる。
【００１９】
７は、看護師等が携帯して使用する看護師用の情報端末であり、一般的には、ピー・ディ・エー（ＰＤＡ：Personal Digital Assistantの略）と称される情報携帯端末で構成される。
看護支援パソコン６と看護師用情報端末７とは、相互に、メモリーカードや有線または無線の通信手段により、看護データ、患者データの送受信ができる。
【００２０】
図２は、本発明の１実施例におけるナースコール親機１または看護支援パソコン６の患者名表示部の外観図である。
図において、患者名表示部１０は、個別の患者情報を表示するもので、患者氏名（１１）、年齢（１２）、主治医（１３）、担当看護師（１４）、部屋番号（１５）、ベッド番号（１６）、診療科目（１７）などが文字表示されている。
【００２１】
１８は、血液型に対応する特定の色で表示された血液型別カラーマークであり、必要に応じて、文字を追加して血液型名を同時に表示させることもできる。
実施例では、血液型別カラーマークの色として、輸血パックの識別色として一般的に採用されている色を採用している。すなわち、Ａ型は黄色、Ｂ型は白色、ＡＢ型は赤色、Ｏ型は青色、その他は紫色としてある。
【００２２】
なお、血液型のカラー表示方法としては、実施例とは異なり、患者名すなわち文字の表示色を変えたり、患者名の背景色を変えたりする方法もある。
【００２３】
個人別情報廊下灯２の患者名表示部にも、ナースコール親機１や看護支援パソコン６の患者名表示部１０と同様、その患者名表示部には、ベッド番号、患者名、患者の血液型などが表示される。
【００２４】
図３は、ナースコール親機１または看護支援パソコン６に記憶されているデータベースの一部を構成する血液型テーブルを示したものであり、院内情報システムデータでリアルタイムに更新され、患者データは自動的に追加、削除、変更される。
血液型テーブルには、患者ＩＤ、患者名、血液型に加えて、血液型表示色が入力されている。
【００２５】
この血液型表示色のデータは、たとえば、ナースコール親機１や看護支援パソコン６に患者名表示部１０を表示する際、血液型カラーマーク１８の色指定データとして使用される。
あるいは、血液型カラーマークを削除し、患者名の表示文字色で患者の血液型を表示する場合には、この血液型表示色のデータを文字色データとして利用することができる。
【００２６】
ナースコール親機１または看護支援パソコン６には、ナースコール呼出、応答通話に関するナースコールアプリケーションプログラムのほかに、いわゆる、看護支援に関するアプリケーションプログラムが必要に応じて組み込まれ、各種帳票のカラー印刷が可能になっている。
【００２７】
上記のカラー印刷の実行コマンドにおいては、前記した血液型カラーマーク１８の色指定データを付加することができるので、帳票およびラベルを印刷するとき、患者名の表示文字や患者名の近傍の血液型表示箇所に、血液型により異なる指定色を印刷できる。
【図面の簡単な説明】
【００２８】
【図１】本発明の１実施例におけるナースコールシステムの構成図。
【図２】本発明の１実施例におけるナースコール親機および看護支援パソコンの患者名表示部の外観図である。
【図３】本発明の１実施例における血液型テーブル。
【符号の説明】
【００２９】
１    ナースコール親機
２    個人別情報廊下灯
３    患者用情報端末
４    呼出ボタン
５    院内システムネットワーク
６    看護支援パソコン
７    看護師用情報端末
８    院内情報システム
９    カラー印刷機
１０    患者名表示部
１１    患者名
１８    血液型カラーマーク
【図１】
2006271818.tif 000003
【図２】
2006271818.tif 000004
【図３】
2006271818.tif 000005